(57)【要約】【課題】  デザイン性・メンテナンス性に優れた発光素子付き衣服、発光素子付き装飾品、及び発光素子ユニットの提供。【解決手段】  発光素子付き衣服であるブラジャー１は、発光部材６と、コントローラ８と、カバー部６１と、保持部７とを備えている。発光部材６は、互いに電気的に接続された複数の発光ダイオード６２を備え、柔軟性を有する。コントローラ８は、発光部材６に電気的に接続され、発光ダイオード６２の発光を制御する。カバー部６１は、柔軟性を有しており、発光部材６のケーブル６２及び発光ダイオード６２を収容することにより発光部材６を見え難くするとともに発光ダイオード６２からの光を透過させる。保持部７は、カバー部６１を着脱可能に保持する。【選択図】図１
2017122293.tif 000002
【特許請求の範囲】
【請求項１】
ケーブルによって互いに電気的に接続された複数の発光素子を備え、柔軟性を有する発光部材と、
前記発光部材に接続され、前記複数の発光素子の発光を制御するコントローラと、
柔軟性を有し、前記ケーブル及び前記複数の発光素子を一体的に覆うことにより前記発光部材を見え難くするとともに前記複数の発光素子からの光を透過させるカバー部と、
前記カバー部を着脱可能に保持する保持部と、を備えることを特徴とする発光素子付き衣服。
【請求項２】
前記カバー部はチューブ形状をなし、前記チューブの内部空間に前記発光部材を収容することを特徴とする請求項１に記載の発光素子付き衣服。
【請求項３】
各前記発光素子はＲＧＢの発光ダイオードから構成され、
前記コントローラは前記発光ダイオードから複数の色を発色可能に制御することを特徴とする請求項１または請求項２に記載の発光素子付き衣服。
【請求項４】
前記コントローラは外部の音を検出する音検出部を有し、前記音検出部から検出した音に基づいて前記複数の発光素子の発光を制御することを特徴とする請求項１から３のいずれか１項に記載の発光素子付き衣服。
【請求項５】
前記発光部材は、前記コントローラに接続される一端部と、前記一端部とは反対側の他端部とを有し、
前記複数の発光素子は、前記一端部と前記他端部との間に直線状に配置され、
前記コントローラは、前記発光部材を前記一端部から前記他端部に向かって順次点灯するように制御することを特徴とする請求項１から４のいずれか１項に記載の発光素子付き衣服。
【請求項６】
ケーブルによって互いに電気的に接続された複数の発光素子を備え、柔軟性を有する発光部材と、
前記発光部材に接続され、前記複数の発光素子の発光を制御するコントローラと、
柔軟性を有し、前記ケーブル及び前記複数の発光素子を一体的に覆うことにより前記発光部材を見え難くするとともに前記複数の発光素子からの光を透過させるカバー部と、
前記カバー部を着脱可能に保持する保持部と、を備えることを特徴とする発光素子付き装飾品。
【請求項７】
ケーブルによって互いに電気的に接続された複数の発光素子を備え、柔軟性を有する発光部材と、
前記発光部材に接続され、前記複数の発光素子の発光を制御するコントローラと、
柔軟性を有し、前記ケーブル及び前記複数の発光素子を一体的に覆うことにより前記発光部材を見え難くするとともに前記複数の発光素子からの光を透過させるカバー部と、
前記カバー部に設けられて外部から着脱可能に保持される被保持部と、を備えることを特徴とする発光素子ユニット。
【発明の詳細な説明】
【技術分野】
【０００１】
本発明は衣服、装飾品、及び発光素子ユニットに関し、特に発光素子を備える衣服及び装飾品に関する。
【背景技術】
【０００２】
従来より、発光手段を備えた夜光服が知られている（例えば、特許文献１）。このような夜光服では、電源部に接続された複数の発光素子が衣服本体に装着されていて、装飾性を高めるために半数ずつ発光色の異なる発光ダイオードを用いている。
【０００３】
また、夜間の視認性を高めるための発光素子付き衣服が知られている（例えば、特許文献２）。発光素子付き衣服は、ベスト形状をしており、３６０°どの方向からも発光素子を視認することができる。このような衣服は、夜間の警備や交通整理などに用いられる。
【先行技術文献】
【特許文献】
【０００４】
【特許文献１】特開２０１３−１００６１１号公報
【特許文献２】特開２００４−３０８０５０号公報
【発明の概要】
【発明が解決しようとする課題】
【０００５】
しかしながら、特許文献１の衣服ではＬＥＤやＥＬライトなどの発光素子がそのまま装着されており、女性が着用する衣服としてはデザイン性に欠けていた。さらに、発光素子が衣服に縫い付けて固定してあるため発光素子の故障の際には、縫い目をほどいて発光素子を取り外す必要があり手間がかかっていた。また、１つの発光素子で１色のみ発光するため発光させるパターンが限られていた。特許文献２の発光素子付き衣服についても、ＬＥＤ素子が外部から視認できる状態で複数設けられており、デザイン性に難があった。
【０００６】
そこで、本発明はデザイン性・メンテナンス性に優れた発光素子付き衣服、発光素子付き装飾品、及び発光素子ユニットを提供することを目的とする。
【課題を解決するための手段】
【０００７】
上記課題を解決するために本発明は、ケーブルによって互いに電気的に接続された複数の発光素子を備え、柔軟性を有する発光部材と、前記発光部材に接続され、前記複数の発光素子の発光を制御するコントローラと、柔軟性を有し、前記ケーブル及び前記複数の発光素子を一体的に覆うことにより前記発光部材を見え難くするとともに前記複数の発光素子からの光を透過させるカバー部と、前記カバー部を着脱可能に保持する保持部と、を備えることを特徴とする発光素子付き衣服を提供する。
【０００８】
このような構成によると、カバー部が発光部材を収容することによって発光部材を外部から視認し難くするため、発光部材が設けられていることが一見分かり難くなる。これにより、本来の衣服のデザイン性を損なうことなく発光素子を備えた衣服を実現することができる。カバー部が発光素子及びケーブル覆っているため、あらゆる角度から発光部材を見難くすることができる。カバー部が発光素子からの光を透過させるため、発光素子の光もデザインの一部として活用することができる。なお、カバー部は発光部材を見え難くするという機能を備えるが、たとえカバー部が透明であってもこの機能を発揮することができる。例えば、本発明の発光素子付き衣服をダンサーの衣装などに適用した場合、スポットライトの光による反射などで衣服の発光部材が視認し難くなる。保持部は発光部材を収容するカバー部を着脱可能に保持するため、衣服の洗濯や発光部材の修理などの際に、衣服から容易に発光部材及びカバー部を取り外すことができ、メンテナンス性に優れる。
【０００９】
また、前記カバー部はチューブ形状をなし、前記チューブの内部空間に前記発光部材を収容してもよい。
【００１０】
このような構成により、カバー部がチューブ形状をなしその内部空間に発光部材を収容しているため、あらゆる角度から発光部材を見難くすることができる。
【００１１】
また、各前記発光素子はＲＧＢの発光ダイオードから構成され、前記コントローラは前記発光ダイオードから複数の色を発色可能に制御してもよい。
【００１２】
このような構成によると、各発光素子はＲＧＢの発光ダイオードから構成されているフルカラーＬＥＤであるため、コントローラによって多彩なカラーバリエーションで各発光素子を発光させることができる。これにより、さらにデザイン性に優れた発光素子付き衣服を実現できる。
【００１３】
また、前記コントローラは外部の音を検出する音検出部を有し、前記音検出部から検出した音に基づいて前記複数の発光素子の発光を制御してもよい。
【００１４】
このような構成によると、コントローラは外部の音に基づいて発光素子の発光を制御するため、音楽に合わせた発光が可能となる。特にダンスホールなどの衣装に用いる場合には、音楽と衣装との一体感を演出することができる。
【００１５】
また、前記発光部材は、前記コントローラに接続される一端部と、前記一端部とは反対側の他端部とを有し、前記複数の発光素子は、前記一端部と前記他端部との間に直線状に配置され、前記コントローラは、前記発光部材を前記一端部から前記他端部に向かって順次点灯するように制御してもよい。
【００１６】
このような構成によると、コントローラは発光部材の発光素子を一端から他端に流れるように制御するため、優れたデザインの発光素子付き衣服を提供することができる。
【００１７】
本発明の別の観点によると、ケーブルによって互いに電気的に接続された複数の発光素子を備え、柔軟性を有する発光部材と、前記発光部材に接続され、前記複数の発光素子の発光を制御するコントローラと、柔軟性を有し、前記ケーブル及び前記複数の発光素子を一体的に覆うことにより前記発光部材を見え難くするとともに前記複数の発光素子からの光を透過させるカバー部と、前記カバー部を着脱可能に保持する保持部と、を備えることを特徴とする発光素子付き装飾品を提供する。
【００１８】
このような構成によると、カバー部が発光部材を収容することによって発光部材を外部から視認し難くするため、発光部材が設けられていることが一見分かり難くなる。これにより、本来の装飾品のデザイン性を損なうことなく発光素子を備えた装飾品を実現することができる。カバー部がケーブル及び発光素子を覆っているため、あらゆる角度から発光部材を見難くすることができる。カバー部が発光素子からの光を透過させるため、発光素子の光もデザインの一部として活用することができる。なお、カバー部は発光部材を見え難くするという機能を備えるが、たとえカバー部が透明であってもこの機能を発揮することができる。例えば、本発明の発光素子付き装飾品をダンサーの装飾品などに適用した場合、スポットライトの光による反射などで装飾品の発光部材が視認し難くなる。保持部は発光部材を収容するカバー部を着脱可能に保持するため、装飾品の手入れや発光部材の修理などの際に、装飾品から容易に発光部材及びカバー部を取り外すことができ、メンテナンス性に優れる。
【００１９】
本発明の別の観点によると、ケーブルによって互いに電気的に接続された複数の発光素子を備え、柔軟性を有する発光部材と、前記発光部材に接続され、前記複数の発光素子の発光を制御するコントローラと、柔軟性を有し、前記ケーブル及び前記複数の発光素子を一体的に覆うことにより前記発光部材を見え難くするとともに前記複数の発光素子からの光を透過させるカバー部と、前記カバー部に設けられて外部から着脱可能に保持される被保持部と、を備えることを特徴とする発光素子ユニットを提供する。
【００２０】
このような構成によると、カバー部が発光部材を収容することによって発光部材を外部から視認し難くするため、発光部材が設けられていることが一見分かり難くなる。発光素子ユニットを様々な物品に取り付ける際、デザイン性を損なうことがなくなるとともに、カバー部の色やデザインを選択することにより発光素子ユニット自体をデザインとして使用することができる。カバー部が発光素子及びケーブルを覆っているため、あらゆる角度から発光部材を見難くすることができる。カバー部が発光素子からの光を透過させるため、発光素子の光もデザインの一部として活用することができる。なお、カバー部は発光部材を見え難くするという機能を備えるが、たとえカバー部が透明であってもこの機能を発揮することができる。例えば、本発明の発光素子付き装飾品をダンサーの衣装などに適用した場合、スポットライトの光による反射などで衣装の発光部材が視認し難くなる。被保持部は外部から着脱可能に保持されるため、発光素子ユニットの手入れや発光部材の修理などの際に、容易に発光部材及びカバー部を取り外すことができ、メンテナンス性に優れる。
【発明の効果】
【００２１】
本発明によれば、デザイン性・メンテナンス性に優れた発光素子付き衣服、発光素子付き装飾品、及び発光素子ユニットを提供することができる。
【図面の簡単な説明】
【００２２】
【図１】本発明の第１の実施の形態による発光素子付き衣服の斜視図。
【図２】本発明の第１の実施の形態による発光素子付き衣服の正面図。
【図３】本発明の第１の実施の形態による発光素子付き衣服の発光素子周辺の部分断面図。
【図４】本発明の第１の実施の形態による発光素子付き衣服のコントローラの平面図。
【図５】本発明の第２の実施の形態による発光素子付き衣服の平面図。
【図６】本発明の第２の実施の形態による発光素子付き衣服の発光素子周辺の部分拡大図。
【発明を実施するための形態】
【００２３】
本発明の第１の実施の形態による発光素子付き衣服を図１乃至図４に基づき説明する。図２に示すように、上下左右方向を定義する。
【００２４】
発光素子付き衣服の一例であるブラジャー１は、カップ部２と、肩紐３と、バンド部４と、フック５と、発光部６と、保持部７（図３）と、コントローラ８と、から構成されている。ブラジャー１は、主にダンスホールなどのダンサー用衣装として使用される。
【００２５】
カップ部２とバンド部４とは肩紐３によって接続されており、フック５を互いに係止することによりブラジャー１を装着する。
【００２６】
図１及び図２に示すように、カップ部２の周縁には発光部６が正面視略８の字状に配置されている。発光部６は、カバー部６１と、発光ダイオード６２と、ケーブル６３と、から構成されている。発光部６は柔軟性を備え、コントローラ８と接続される一端部６Ａと一端部とは反対側の端部である他端部６Ｂとを有する。カバー部６１は、メッシュ状の略チューブ形状をなし、チューブの内部空間に発光ダイオード６２及びケーブル６３を収容している。つまり、単一のカバー部６１で、発光ダイオード６２とケーブル６３とを一体的に覆っている。
【００２７】
カバー部６１は柔軟性を備えていて、半径方向及び軸方向に伸縮可能であり、発光ダイオード６２の大きさよりも僅かに小さい内径を有する。これにより、図１の部分拡大図及び図３に示すように、発光ダイオード６２が収容されている部分がわずかに拡径することで、カバー部６１が発光ダイオード６２及びケーブル６３を保持する。カバー部６１はメッシュであるため、発光ダイオード６２及びケーブル６３が外から見え難い。本実施の形態では、メッシュの糸の色をカップ部２の色と同一にしているため、さらに発光部６が見え難い。メッシュの糸の色とカップ部２の色とを異ならせることで発光部６をデザインの一部として目立たせてもよい。
【００２８】
発光ダイオード６２は、ケーブル６３によって互いに電気的に接続されている。発光部６は、２０個の発光ダイオード６２を備え、互いに等間隔で配置されている。発光ダイオード６２は、ライト部６２Ａと、ライト部６２Ａを制御する基板部６２Ｂとから構成される。ライト部６２Ａは、ＲＧＢの３つから構成されたフルカラーＬＥＤであり、発光ダイオード６２は複数の発色が可能となる。ケーブル６３は柔軟性を備えているため、カバー部６１とともに自在に湾曲させることができる。発光ダイオード６２は、発光素子の一例である。
【００２９】
図３に示すように、保持部７は、発光部６をカップ部２に保持するための部材であって、本実施の形態では面ファスナーを用いている。保持部７は、カバー部６１に設けられたオス部７１と、カップ部２に設けられたメス部７２とを接着させることで発光部６をカップ部２に着脱可能に保持している。保持部７は、発光部６の全長に複数個所設けられている。保持部７は、ブラジャー１を装着して行うダンスなどでは離脱しない程度の接着力を有している。
【００３０】
図１に示すように、コントローラ８は、発光部６の一端部６Ａに接続されるコネクタ８１と、本体部８２と、コネクタ８１と本体部８２とを繋ぐ配線８３とから構成される。図４に示すように、本体部８２には、ボタン８４と、ステータス表示部８５と、電池収容部８６と、基板収容部８７とを備えている。コントローラ８の裏面には図示せぬ引掛部が設けられていて、引掛部をバンド部４に引掛けることでコントローラ８がブラジャー１に保持される。
【００３１】
発光部６の発光ダイオード６２は、ボタン８４の長押し（２秒）によって電源をオン・オフし、ボタン８４を押下することで発光パターンを変えることができる。ステータス表示部８５は、電源が投入されると赤く点灯し、電源が切れると消灯する。
【００３２】
電池収容部８６には、開閉可能な蓋８６Ａが設けられていて内部に電源となる単三電池を２本収容可能である。基板収容部８７には、発光部６を制御する制御基板８７Ａと、制御基板８７Ａと接続され外部の音を検出する音検出部８７Ｂと、図示せぬリモコンからの信号を受信する受信部８７Ｃとを収容している。
【００３３】
次に、発光部６の発光パターンについて説明する。ボタン８４を長押しすることにより、電源がオンとなる。このとき、初期状態として発光ダイオード６２がグリーンで図２に示す矢印Ａ、矢印Ｂ、矢印Ｃの順番で流れるように点灯する。具体的には、右側のカップ部２の上側の発光部６のうち、コントローラ８に近い側から順次点灯し、次に左側のカップ部２の上側が右から左に向かって順次点灯する。左側のカップ部２の下側が左から右に向かって順次点灯し、右側のカップ部２の下側が左から右に向かって点灯する。本実施の形態の点灯時間は、一の発光ダイオード６２が点灯して消灯したら次の発光ダイオード６２が点灯するように設定される。この点灯時間は任意に設定することができる。
【００３４】
ボタン８４を押すごとに、発光ダイオード６２の色が、レッド、ブルー、イエロー、ピンク、ライトブルー、ホワイト、レインボー、高速レインボー、サウンドアクティブ、リモートとなる。レインボーとは、グリーンを複数周点灯させた後に、レッドを複数周点灯させ、その後もブルー、イエロー、インク、ライトブルー、ホワイトの順で複数周点灯させる。高速レインボーでは、レインボーを高速で行うことにより一見して発光部６が七色に発光しているように見せている。サウンドアクティブでは、音検出部８７Ｂの検出した音に基づいて発光ダイオード６２が７色で発光する。つまり、一定の音を検出すると高速レインボーを所定時間動作させる。リモートでは、図示せぬリモコンを操作することによりボタン８４を押下したのと同様の効果を得ることができる。また、図示せぬリモコンでは複数の発光部６を同時に操作することが可能である。例えば、複数人のダンサーがブラジャー１を装着してダンスをしている場合、複数人のダンサーのブラジャー１の発光色を同時に切り替えることができる。再びボタン８４を長押しすることでコントローラ８の電源が落ちる。
【００３５】
このような構成によると、カバー部６１が発光部６を収容することによって発光部６を外部から視認し難くするため、発光部６が設けられていることが一見分かり難くなる。これにより、本来のブラジャー１のデザイン性を損なうことなく発光ダイオード６２を備えたブラジャー１を実現することができる。カバー部６１がチューブ形状をしているため、あらゆる角度から発光部６を見難くすることができる。カバー部６１が発光ダイオード６２からの光を透過させるため、発光ダイオード６２の光もデザインの一部として活用することができる。保持部７は発光部６を収容するカバー部６１を着脱可能に保持するため、ブラジャー１の洗濯や発光部６の修理などの際に、ブラジャー１から容易に発光部６及びカバー部６１を取り外すことができ、メンテナンス性に優れる。
【００３６】
このような構成によると、各発光ダイオード６２はＲＧＢのフルカラーＬＥＤであって複数の色を発色可能なため、コントローラ８によって多彩なカラーバリエーションで各発光ダイオード６２を発光させることができる。これにより、さらにデザイン性に優れた発光素子付きブラジャー１を実現できる。
【００３７】
このような構成によると、コントローラ８は外部の音に基づいて発光ダイオード６２の発光を制御するため、音楽に合わせた発光が可能となる。特にブラジャー１をダンスホールなどの衣装に用いる場合には、音楽と衣装との一体感を演出することができる。
【００３８】
このような構成によると、コントローラ８は発光部６の発光ダイオード６２を一端部６Ａから他端部６Ｂに流れるように制御するため、優れたデザインの発光素子付きブラジャー１を提供することができる。
【００３９】
このような構成によると、コントローラ８は制御基板８７Ａと電源とを一体的に備えているため、コントローラ８のみブラジャー１に保持していればよく、携帯性に優れている。
【００４０】
次に、本発明の第２の実施の形態について図５及び図６に基づいて説明する。第１の実施の形態と同一の構成については、同一の符号を付し説明を省略する。
【００４１】
第２の実施の形態では、図５に発光素子付き衣服の一例としてスカート１０１を示す。スカート１０１は、本体１０２と、発光部６を本体１０２に保持する保持部１０７（図６）とを備えている。本体１０２の中央には、体を通す貫通孔１０３が形成されている。本体１０２には、貫通孔１０３の近傍に図示せぬポケットが設けられていて、当該ポケットにコントローラ８が収容されている。
【００４２】
発光部６は、図５に示すように、貫通孔１０３から反時計回りに本体１０２の周囲を回るように配置される。図５の領域Ｒの部分拡大図を図６に示す。発光部６は、保持部１０７によって複数の位置で本体１０２に固定されている。保持部１０７は、本体１０２に固定された面ファスナーであって、カバー部６１の円周方向に１周以上巻回させることにより発光部６を着脱可能に保持している。発光部６の他端部６Ｂは、保持部１０７によって別のカバー部６１と一緒に保持されている。
【００４３】
発光部６の発光パターンは、第１の実施の形態と同様である。スカート１０１では、図５に示す矢印Ｄの方向で光が流れるように発光ダイオード６２が順次発光する。
【００４４】
本発明による衣服は、上述した実施の形態に限定されず、特許請求の範囲に記載された発明の要旨の範囲内で種々の変更が可能である。
【００４５】
上述の実施の形態では、発光部６及びコントローラ８を衣服に装着したが、装飾品に用いてもよい。例えば、帽子、マフラー、スカーフ、手袋、ヘアアクセサリー、ペンダント、ブレスレット、イヤリング、アンクレット、靴下、シューズ、小道具などさまざまな物に採用することができる。具体的には、帽子本体に保持部７を設けて発光部６を保持させ、コントローラ８で発光ダイオード６２を制御することによりデザイン性に優れた発光素子付きの帽子を実現することができる。アクセサリー類に本発明を適用する場合には、小さい発光ダイオードを用いることが望ましい。
【００４６】
上述の実施の形態では、発光部６及びコントローラ８を衣服に装着したが、発光部６とコントローラ８とコネクタ８１で接続して発光素子ユニットとしてもよい。このとき、オス部は被保持部の一例である。カバー部６１にオス部７１を設けることにより、様々な物品に着脱可能に取り付けることができる。ただし、発光部を穴などに通すことにより発光素子ユニットを保持する場合には、カバー部のうち穴に通っている部分が被保持部となる。
【００４７】
第１の実施の形態において、カップ部２の中央部分にビーズ、鋲、毛皮、ラメなどを取り付けてもよい。
【００４８】
上述の実施の形態では、一端部６Ａから他端部６Ｂまで光が流れるように発光ダイオード６２を発光させたがこれに限定されない。例えば、すべての発光ダイオード６２を常時点灯させてもよく、常時点滅させてもよい。また、サウンドアクティブにおいても、外部の音に応じて任意の色を点灯・点滅させてもよい。
【００４９】
上述の実施の形態では、リモートではボタン８４を押下した状態と同様の状態を得られたが、これに限定されない。例えば、リモコンに複数のボタンを設け、それらのボタンを操作することによって複数の発光素子付き衣服の発光素子を同時に任意のタイミングで任意の色に点灯・点滅させるようにしてもよい。
【００５０】
上述の実施の形態では、図示せぬリモコンによってコントローラ８を操作したがこれに限定されない。リモコンに代えてスマートフォンやパソコンなどから遠隔操作可能であってもよい。
【００５１】
上述の実施の形態では、各発光ダイオード６２を７色に発光可能であったが、発光ダイオード６２はＲＧＢのフルカラーＬＥＤであるため任意の色に発光させることができる。衣服や装飾品の色に応じてそのデザインに合った色で発光させてもよい。
【００５２】
上述の実施の形態では、電源として単三電池２本を使用したが、充電可能なバッテリを搭載してもよい。
【００５３】
第１の実施の形態では、カップ部２の周縁に発光部６を配置したが、これに限定されない。例えば、肩紐３やバンド部４に発光部６を配置してもよい。これにより、発光部を発光させることによりどの位置からみても発光ダイオードの発光を見せることができる。
【００５４】
上述の実施の形態では、保持部７、１０７として面ファスナーを用いたが、保持部は発光部６を着脱可能に保持可能であればよくこれに限定されない。例えば、ボタン、紐、両面テープ、線ファスナー、強力な磁石を用いてもよい。さらに、保持部は衣服に形成された孔であっても良い。当該孔に発光部６を孔に貫通させることにより、発光部を衣服に着脱可能に保持することができる。
【００５５】
上述の実施の形態では、カバー部６１としてメッシュ状のチューブを用いたが、半透明や透明の塩ビのチューブであってもよい。特に、ダンサーがブラジャー１やスカート１０１を使用する際、スポットライトの反射によって透明なチューブであっても発光部６を見難くするという効果を得ることができる。また、発光ダイオード６２及びケーブル６３を覆うチューブ状の素材であって熱により発光ダイオード６２及びケーブル６３に密着する素材であってもよい。また、カバー部６１が防水性を備えていてもよい。
【符号の説明】
【００５６】
１      ブラジャー
２      カップ部
６      発光部
６１    カバー部
６２    発光ダイオード
６３    ケーブル
７      保持部
８      コントローラ
８７Ａ  制御基板
８７Ｂ  音検出部
【図１】
2017122293.tif 000003
【図２】
2017122293.tif 000004
【図３】
2017122293.tif 000005
【図４】
2017122293.tif 000006
【図５】
2017122293.tif 000007
【図６】
2017122293.tif 000008
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
ケーブルによって互いに電気的に接続された複数の発光素子を備え、柔軟性を有する発光部材と、
前記発光部材に接続され、前記複数の発光素子の発光を制御するコントローラと、
柔軟性を有し、前記ケーブル及び前記複数の発光素子を一体的に覆うことにより前記発光部材を見え難くするとともに前記複数の発光素子からの光を透過させるカバー部と、
前記カバー部を着脱可能に保持する保持部と、を備え、
前記カバー部は着色されたメッシュであってチューブ形状をなし、前記メッシュは前記チューブの半径方向及び軸方向に伸縮可能であって、前記発光部材は前記チューブの内部空間に収容され、前記メッシュが前記半径方向に部分的に拡径することにより前記発光部材を保持することを特徴とする発光素子付きデザイン性衣服。
【請求項２】
各前記発光素子はＲＧＢの発光ダイオードから構成され、
前記コントローラは前記発光ダイオードから複数の色を発色可能に制御することを特徴とする請求項１に記載の発光素子付きデザイン性衣服。
【請求項３】
前記コントローラは外部の音を検出する音検出部を有し、前記音検出部から検出した音に基づいて前記複数の発光素子の発光を制御することを特徴とする請求項１または請求項２に記載の発光素子付きデザイン性衣服。
【請求項４】
前記発光部材は、前記コントローラに接続される一端部と、前記一端部とは反対側の他端部とを有し、
前記複数の発光素子は、前記一端部と前記他端部との間に直線状に配置され、
前記コントローラは、前記発光部材を前記一端部から前記他端部に向かって順次点灯するように制御することを特徴とする請求項１から３のいずれか１項に記載の発光素子付きデザイン性衣服。
【請求項５】
ケーブルによって互いに電気的に接続された複数の発光素子を備え、柔軟性を有する発光部材と、
前記発光部材に接続され、前記複数の発光素子の発光を制御するコントローラと、
柔軟性を有し、前記ケーブル及び前記複数の発光素子を一体的に覆うことにより前記発光部材を見え難くするとともに前記複数の発光素子からの光を透過させるカバー部と、
前記カバー部を着脱可能に保持する保持部と、を備え、
前記カバー部は着色されたメッシュであってチューブ形状をなし、前記メッシュは前記チューブの半径方向及び軸方向に伸縮可能であって、前記メッシュが前記半径方向に部分的に拡径することにより前記発光部材を保持することを特徴とする発光素子付きデザイン性装飾品。
【請求項６】
ケーブルによって互いに電気的に接続された複数の発光素子を備え、柔軟性を有する発光部材と、
前記発光部材に接続され、前記複数の発光素子の発光を制御するコントローラと、
柔軟性を有し、前記ケーブル及び前記複数の発光素子を一体的に覆うことにより前記発光部材を見え難くするとともに前記複数の発光素子からの光を透過させるカバー部と、
前記カバー部に設けられて外部から着脱可能に保持される被保持部と、を備え、
前記カバー部は着色されたメッシュであってチューブ形状をなし、前記メッシュは前記チューブの半径方向及び軸方向に伸縮可能であって、前記メッシュが前記半径方向に部分的に拡径することにより前記発光部材を保持することを特徴とする発光素子付きデザイン性衣服又は発光素子付きデザイン性装飾品に用いられる発光素子ユニット。
【手続補正３】
【補正対象書類名】明細書
【補正対象項目名】０００７
【補正方法】変更
【補正の内容】
【０００７】
上記課題を解決するために本発明は、ケーブルによって互いに電気的に接続された複数の発光素子を備え、柔軟性を有する発光部材と、前記発光部材に接続され、前記複数の発光素子の発光を制御するコントローラと、柔軟性を有し、前記ケーブル及び前記複数の発光素子を一体的に覆うことにより前記発光部材を見え難くするとともに前記複数の発光素子からの光を透過させるカバー部と、前記カバー部を着脱可能に保持する保持部と、を備え、前記カバー部は着色されたメッシュであってチューブ形状をなし、前記メッシュは前記チューブの半径方向及び軸方向に伸縮可能であって、前記発光部材は前記チューブの内部空間に収容され、前記メッシュが前記半径方向に部分的に拡径することにより前記発光部材を保持することを特徴とする発光素子付きデザイン性衣服を提供する。
【手続補正４】
【補正対象書類名】明細書
【補正対象項目名】００１７
【補正方法】変更
【補正の内容】
【００１７】
本発明の別の観点によると、ケーブルによって互いに電気的に接続された複数の発光素子を備え、柔軟性を有する発光部材と、前記発光部材に接続され、前記複数の発光素子の発光を制御するコントローラと、柔軟性を有し、前記ケーブル及び前記複数の発光素子を一体的に覆うことにより前記発光部材を見え難くするとともに前記複数の発光素子からの光を透過させるカバー部と、前記カバー部を着脱可能に保持する保持部と、を備え、前記カバー部は着色されたメッシュであってチューブ形状をなし、前記メッシュは前記チューブの半径方向及び軸方向に伸縮可能であって、前記メッシュが前記半径方向に部分的に拡径することにより前記発光部材を保持することを特徴とする発光素子付きデザイン性装飾品を提供する。
【手続補正５】
【補正対象書類名】明細書
【補正対象項目名】００１９
【補正方法】変更
【補正の内容】
【００１９】
本発明の別の観点によると、ケーブルによって互いに電気的に接続された複数の発光素子を備え、柔軟性を有する発光部材と、前記発光部材に接続され、前記複数の発光素子の発光を制御するコントローラと、柔軟性を有し、前記ケーブル及び前記複数の発光素子を一体的に覆うことにより前記発光部材を見え難くするとともに前記複数の発光素子からの光を透過させるカバー部と、前記カバー部に設けられて外部から着脱可能に保持される被保持部と、を備え、前記カバー部は着色されたメッシュであってチューブ形状をなし、前記メッシュは前記チューブの半径方向及び軸方向に伸縮可能であって、前記メッシュが前記半径方向に部分的に拡径することにより前記発光部材を保持することを特徴とする発光素子付きデザイン性衣服又は発光素子付きデザイン性装飾品に用いられる発光素子ユニットを提供する。